(57)【要約】【課題】  開蓋動作が安定しており、ロック状態を解除した後、蓋体を押出して自重により確実に開蓋でき、構成が簡単な蓋体のロックおよび開蓋機構を提供する。【解決手段】  筐体１に開閉可能に支持された蓋体２を閉状態に保持するロックレバー３０を備え、ロックレバーの閉状態を解除して蓋体を開状態とし蓋体の自重で開蓋する蓋体のロックおよび開蓋機構１０は、ロックレバー３０を開状態に移動させるモータ１５と作動カム２０とを備えるカム機構と、ロックレバーの開状態時にカム機構により蓋体２を開蓋方向に押圧する押圧レバー４０とを備える。ロックレバー３０は、蓋体２を開蓋動作後、蓋体の閉蓋による押圧レバー４０の押込み動作に連動して蓋体２をロックする。【選択図】  図４
2006147081.tif 000002
【特許請求の範囲】
【請求項１】
筐体に開閉可能に支持された蓋体を閉状態に保持するロックレバーを備え、該ロックレバーの閉状態を解除して開状態とし該蓋体の自重で開蓋する蓋体のロックおよび開蓋機構であって、
前記ロックレバーを開状態に移動させるカム機構と、
前記ロックレバーの開状態時に前記カム機構により前記蓋体を開蓋方向に押圧する押圧レバーとを備えることを特徴とする蓋体のロックおよび開蓋機構。
【請求項２】
前記ロックレバーは、蓋体を開蓋動作後、蓋体の閉蓋による前記押圧レバーの押込み動作に連動して蓋体をロックすることを特徴とする請求項１に記載の蓋体のロックおよび開蓋機構。
【請求項３】
前記カム機構は、モータにより回転されるカムを備えており、該カムは水平方向の回転軸を中心として回転するものであり、前記ロックレバーは該カムの回転軸方向に弾接し、前記押圧レバーはカムの円周方向に弾接することを特徴とすることを特徴とする請求項１または２に記載の蓋体のロックおよび開蓋機構。
【請求項４】
前記蓋体は下方を揺動中心として前記筐体に閉蓋時に垂直状態となるように支持され、前記ロックレバーが開状態になり、前記押圧レバーで押圧されると自重で開くことを特徴とする請求項１〜３のいずれかに記載の蓋体のロックおよび開蓋機構。
【請求項５】
前記カム機構は、前記モータとカムとの間にベルト伝達機構を備えることを特徴とする請求項１〜４のいずれかに記載の蓋体のロックおよび開蓋機構。
【請求項６】
請求項１〜５のいずれかに記載の蓋体のロックおよび開蓋機構を備えた記録再生装置。
【発明の詳細な説明】
【技術分野】
【０００１】
本発明は、電気機器等で用いられる蓋体のロックおよび開蓋機構に係り、特に、ＤＶＤ（Ｄｉｇｉｔａｌ  Ｖｅｒｓａｔｉｌｅ  Ｄｉｓｋ）装置や、ＶＴＲ（Ｖｉｄｅｏ  Ｔａｐｅ  Ｒｅｃｏｒｄｅｒ）等の電気機器で使用される前面パネル等の蓋体を閉状態にロックすると共に開蓋することができる機構と、このロックおよび開蓋機構を用いた記録再生装置に関する。
【背景技術】
【０００２】
従来、この種の蓋体のロックおよび開蓋機構として、特許文献１に記載の開閉蓋機構は、筐体の開口部を開閉蓋により開閉機構を介して開閉する開閉蓋機構であって、開閉機構は開閉蓋で開口部を閉塞した開閉蓋の閉塞位置において、開閉蓋を閉塞する方向に付勢し、かつ、開閉蓋で開口部を開放した開閉蓋の開放位置において、開閉蓋を開放する方向に付勢するねじりばねを含んで構成されている。
【０００３】
そして、前記の開閉機構は筐体と開閉蓋とにわたって設けられた四節リンク機構と、モータの動力を四節リンク機構に伝達する歯車機構とを含んで構成され、ねじりばねは、四節リンク機構と歯車機構との連結部に設けられており、揺動することで蓋板を開閉するアームと、モータの動力をアームに伝達する歯車機構とを備え、ねじりばねは、コイル部とその両端の第１端部および第２端部とを備え、開閉蓋を閉塞位置から開放位置に移動させる際に、歯車機構により第２端部が回転されることで第１端部によりアームを揺動させ、開閉蓋を開放位置から閉塞位置に移動させる際に、歯車機構により第１端部が回転されることで第２端部によりアームを揺動させるように構成されている。
【０００４】
【特許文献１】特開２００４−１１０９２３号公報
【発明の開示】
【発明が解決しようとする課題】
【０００５】
ところで、前記構造の開閉蓋機構は、開閉蓋と筐体との間に物が挟まっても開閉蓋、開閉蓋の駆動機構および筐体などに無理な力が加わることを防止できる開閉蓋機構であるが、開蓋動作及び閉蓋動作の両方を行う機構であり、部品点数が多く構成が複雑であり、コストが上昇するという問題点があった。
【０００６】
本発明は、このような問題に鑑みてなされたものであって、その目的とするところは、開蓋動作が安定しており、閉蓋は手動で行う蓋体のロックおよび開蓋機構を提供することにある。また、ロック状態を解除した後、蓋体を押出して自重により確実に開蓋することができ、部品点数が少なく構成が簡単な蓋体のロックおよび開蓋機構を提供することにある。さらに、この機構を用いた記録再生装置を提供することにある。
【課題を解決するための手段】
【０００７】
前記目的を達成すべく、本発明に係る蓋体のロックおよび開蓋機構は、筐体に開閉可能に支持された蓋体を閉状態に保持するロックレバーを備え、該ロックレバーを開放して開状態とし該蓋体の自重で開蓋する蓋体のロックおよび開蓋機構であって、前記ロックレバーを開状態に移動させるカム機構と、前記ロックレバーの開状態時に前記カム機構により前記蓋体を開蓋方向に押圧する押圧レバーとを備えることを特徴としている。
【０００８】
前記のごとく構成された本発明の蓋体のロックおよび開蓋機構は、カム機構により移動されるロックレバーで蓋体をロックし閉状態に保持しておき、蓋体を開けるときにはカム機構によりロックレバーを移動して開状態とし、この後、カム機構に連動する押圧レバーにより蓋体を押圧するため、蓋体を確実に開けることができる。このように、カム機構により蓋体のロック状態、すなわち閉状態から開状態に移動することができ、蓋体を押圧して押出したあと、その自重により円滑に開けることができる。このため、構成を簡単とすることができ、作動が安定すると共に、コストを低減することができる。
【０００９】
本発明に係る蓋体のロックおよび開蓋機構の好ましい具体的な態様としては、前記ロックレバーは、蓋体を開蓋動作後、蓋体の閉蓋による前記押圧レバーの押込み動作に連動して蓋体をロックすることを特徴としている。蓋体の閉状態の保持を解除しロック解除して蓋体を開いたあと、蓋体を閉蓋することによって押圧レバーを押込み、この動作に連動してロックレバーが蓋体をロックするように構成したので、機構の簡略化が達成でき、安定な動作が可能となる。
【００１０】
また、本発明に係る蓋体のロックおよび開蓋機構において、前記カム機構は、モータにより回転されるカムを備えており、このカムは水平方向の回転軸を中心として回転するものであり、ロックレバーはカムの回転軸方向に弾接し、押圧レバーはカムの円周方向に弾接することが好ましい。このように構成された蓋体のロックおよび開蓋機構は、モータにより回転される１つのカムで２つのレバー、すなわち、ロックレバーを水平方向に揺動させると共に押圧レバーを垂直方向に揺動させる。そして、ロックレバーと蓋体との係合を解除すると共に、蓋体を開方向に押圧して開蓋するため、薄型の簡単な構成により安定した動作を行わせることができる。
【００１１】
さらに、本発明に係る蓋体のロックおよび開蓋機構において、前記蓋体は下方を揺動中心として筐体に閉蓋時に垂直状態となるように支持され、ロックレバーが開状態になり、押圧レバーで押圧されると自重で開くことが好ましい。この構成によれば、ロックレバーが解除されて開状態になったあと、蓋体は押圧レバーで押圧され下方を揺動中心として自重で開く。そして、蓋体を手動で閉じると押圧レバーは蓋体で押込まれ、ロックレバーは閉状態に復帰して蓋体をロック状態に保持する。このような一連の作用により、簡単な構成で蓋体を確実に保持することができる。また、蓋体を回転させる機構が不要となり、構成を簡単にできると共に、動作を安定させることができる。
【００１２】
前記カム機構は、モータとカムとの間にベルト伝達機構を備えることが好ましい。特に、ゴムベルトを用いることが好ましい。このように構成すると、モータの回転による振動が直接カムに伝達されないため、騒音や振動を吸収して作動音の低い機構とすることができる。この機構をＤＶＤ装置やＶＴＲ等の電気機器に用いることにより、前面パネルや操作スイッチ等を有する蓋体で筐体を覆うことができると共に蓋体を円滑に開蓋することができる。
【発明の効果】
【００１３】
本発明の蓋体のロックおよび開蓋機構は、モータにより作動されるカムに連動するロックレバーにより蓋体をロックする閉状態から開状態とし、開状態のとき押圧レバーにより蓋体を押圧して、蓋体の自重で開蓋することができる。また、蓋体をロックするロックレバーを水平方向に揺動させ、蓋体を押出して開蓋する押圧レバーを垂直方向に揺動させることで、１つのカムにより２つの動作を安定させて行わせることができ、機構の薄型化を達成できる。
【発明を実施するための最良の形態】
【００１４】
以下、本発明に係る蓋体のロックおよび開蓋機構の一実施形態を図面に基づき詳細に説明する。図１は本実施形態に係る蓋体のロックおよび開蓋機構を用いた記録再生装置の斜視図、図２は図１の記録再生装置の蓋体を開いた状態の斜視図、図３は蓋体のロックおよび開蓋機構の要部を示す正面図、図４は図３の右側面図、図５は図４の平面図、図６は図４の背面図、図７は蓋体のロックおよび開蓋機構の要部を示す斜視図、図８はロックレバーと押圧レバーの詳細を示す分解状態の斜視図と、組み込んだ状態のＡ−Ａ線に沿う断面図、図９はロックレバーおよび押圧レバーを作動させるカム機構を構成する作動カムの正面図、Ｂ−Ｂ矢視図、平面図、斜視図およびカム線図である。
【００１５】
図１、２において、記録再生装置Ｄは固定側本体として直方体状の筐体１を備えており、筐体１内にＤＶＤ（Ｄｉｇｉｔａｌ  Ｖｅｒｓａｔｉｌｅ  Ｄｉｓｋ）装置と、ＢＤ（Ｂｌｕｅ−ｒａｙ  Ｄｉｓｋ）装置、およびＨＤ（Ｈａｒｄ  Ｄｉｓｋ）装置の３つの装置が内蔵されており、この筐体の前面部には蓋体２が開閉可能に支持されている。蓋体２は前面側に動作状態を示すＤＶＤ装置の表示部３Ａ、ＨＤ装置の表示部３Ｂ、ＢＤ装置の表示部３Ｃを備えるとともに、裏面側に各種の操作スイッチ４Ａ、４Ｂ、４Ｃ等を備えており、所定の厚さを有して比較的重量の大きいものである。蓋体２を開けた筐体１の前面には各種の表示部５Ａ、５Ｂ、５Ｃ、コネクタ部等が配置され、ＤＶＤディスクの挿入口６やＢＤディスクの挿入口７、カードの挿入口８が設けられている。
【００１６】
筐体１は左右の端部が前方に突出した受部１ａ、１ｂとなっており、蓋体２は左右の受部の間に挟まれた状態で支持され、受部１ａ、１ｂの前面と蓋体２の前面が同じ高さで平坦となっている。蓋体２は閉状態では右側の受部１ｂ内に位置する蓋体のロックおよび開蓋機構１０により下方を揺動中心として下ヒンジで垂直に保持されており、ロックが解除されると下方を揺動中心として自重で回転し、左側の受部１ａ内の開閉機構（図示せず）で開閉速度が制御されて水平状態まで開く構成となっている。左側の受部１ａ内の開閉機構は開閉速度を一定化させるためダンパー装置を備えている。ロックおよび開蓋機構１０は、例えばリモコン等で操作して、あるいは筐体１の前面に位置するスイッチ１Ｂを押してモータを回転させて開蓋させることができる。受部１ａ内には電源スイッチ１Ａが配置されている。
【００１７】
本実施形態の蓋体のロックおよび開蓋機構１０は、蓋体２をロックおよび開蓋する機構であって、図３、４に示すように、蓋体２は一端部が右側の受部１ｂの内部に垂直に固定された取付板１１の下端部に支持されている。また、蓋体２の他端部は左側の受部１ａ内部の図示していない開閉機構の取付板に同様に支持されており、下ヒンジで開閉可能に支持されている。
【００１８】
取付板１１は亜鉛メッキ鋼板等の板材から形成されており、筐体１内に設置されたフレーム材（図示せず）との連結部１２を備えている。取付板１１には蓋体２を支持する支持軸１３が回転可能に支持され、この支持軸に固定された揺動規制カム１４の突起１４ａが取付板の規制溝１１ａに嵌合して、約９０度の揺動角で揺動できる構成となっている。支持軸１３の平坦部が蓋体２に嵌合して連動する構成となっている。支持軸１３は筐体１と蓋体２との接合線上に位置しており、蓋体２の重心は支持軸１３より外側の前方側に位置している。
【００１９】
蓋体のロックおよび開蓋機構１０を作動させるモータ１５は取付板１１に配線基板１６を介して固定されている。そして、取付板１１には３本の支持軸１１Ａ，１１Ｂ，１１Ｃが固着されている。また、取付板１１の上部から水平方向に延出する水平受部１１ｂには垂直方向に突出する垂直軸１１Ｄが固着されている。支持軸１１Ａにはモータ１５に連動するプーリ歯車１７が回転可能に支持され、支持軸１１Ｂには後述する作動カム２０が回転可能に支持されている。また、支持軸１１Ｃには蓋体２を押出す機能を有する押圧レバー４０が支持され、支持軸１１Ｄには蓋体２を閉じた状態、すなわちロック状態に保持するロックレバー３０が支持される。
【００２０】
支持軸１１Ａに回転可能に支持されたプーリ歯車１７の大プーリ部にはモータ１５の回転軸に固着された小プーリとの間にゴムベルト１８が巻回されている。また、プーリ歯車１７の小歯車と作動カム２０の外周の歯車２１が噛合っている。この構成により、モータ１５の回転はゴムベルト１８により小プーリからプーリ歯車１７に減速して伝達され、プーリ歯車１７の回転は作動カム２０の歯車２１に減速して伝達されるように構成されている。作動カム２０は蓋体２をロックするロックレバー３０を作動させるとともに、蓋体２を押圧して揺動させる押圧レバー４０を作動させる機能を有する。
【００２１】
配線基板１６にはコネクタ１６ａ、トランジスタ素子１６ｂが固定されていると共に、作動カム２０に近接してスイッチ１６ｃと、揺動規制カム１４に近接してスイッチ１６ｄが固定されている。スイッチ１６ｃは作動カム２０の回転に伴って、モータ１５の回転を保持する機能を有している。また、スイッチ１６ｄは、蓋体２の開閉に伴って信号を発生するものであり、蓋体２が閉じた状態で接片が押込まれるように構成されている。
【００２２】
ここで、ロックレバー３０について詳細に説明する。ロックレバー３０は図８に詳細に示すように、筐体１に開閉可能に支持された蓋体２をロックして閉じた状態（閉蓋状態）に保持するものであり、ベース体３１には蓋体２の凹部２ａに係合する突部３１ａが突出成形されている。ロックレバー３０は取付板１１の水平受部１１ｂに軸着された垂直軸１１Ｄに水平方向に揺動可能に支持されており、突部３１ａが蓋体の凹部２ａに嵌合して蓋体２をロックする構成となっている。ロックレバー３０の下面には突起３１ｂが突設され、この突起は取付板１１の屈曲部１１ｃの湾曲溝１１ｄ内に位置してロックレバーの揺動範囲を規制している。
【００２３】
すなわち、ロックレバー３０は垂直方向に貫通する軸受孔を有する軸受部３２，３２を備えており、このベース体３１の先端側に蓋体をロックする突部３１ａが形成されている。ベース体３１は樹脂等で一体に成形されており、垂直軸１１Ｄに巻回されたコイルばね３３により突部３１ａが突出する方向に付勢されている。ロックレバー３０は軸受部３２，３２に対して突部３１ａと反対側に、作動カム２０のカム面に追従する作動突起３４が形成されている。作動突起３４は先端が半球形の円柱状をしており、コイルばね３３により作動カム２０のカム面の作動部２２に弾接する。ロックレバー３０のベース体３１には中央部に下方開口の凹部３５が形成され、この凹部内に後述する押圧レバー４０の上部が嵌合する。
【００２４】
押圧レバー４０はロックレバー３０と同様に樹脂で一体に形成され、このレバーを揺動可能に支持する軸受孔４１が下端に形成され、中間部には作動カム２０に倣う追従面４２が形成され、上端部には蓋体２を押圧する押圧部４３が一体的に形成されている。軸受孔４１は水平方向に貫通しており、この軸受孔に取付板１１に軸着された支持軸１１Ｃが挿入され、押圧レバー４０を水平軸を中心として垂直面方向に揺動させるように構成されている。押圧レバー４０は取付板１１の屈曲部１１ｅに当接して、それ以上の揺動が規制されている。
【００２５】
押圧レバー４０には支持軸１１Ｃの回りにコイルばね４４が装着されており、図４において押圧レバー４０を反時計方向、すなわち蓋体２を押出す方向に付勢している。コイルばね４４の一端は押圧レバー４０の凹部に係合し、他端は支持軸１１Ａに係合している。押圧レバー４０には軸受孔４１の近傍から突出するアーム部４５が形成され、このアーム部の上部円周面４５ａが作動カム２０の後述する規制部に接触して押圧レバー４０の揺動範囲を規制している。
【００２６】
また、ロックレバー３０のベース体３１には、突部３１ａと凹部３５との間に平坦な係合面３６が形成されている。そして、この係合面には押圧レバー４０の押圧部４３の裏面が対接できる構成となっている。すなわち、ロックレバー３０はコイルばね３３により突部３１ａが突出する方向に付勢されており、蓋体２の方向に付勢されている押圧部４３が係合面３６に接触した状態で係合面３６が押圧部４３の裏面に弾接するため、ロックレバー３０はその状態に保持される構成となっている。
【００２７】
ここで、カム機構を構成する作動カム２０について、図９を参照して詳細に説明する。ロックレバー３０および押圧レバー４０を作動させる作動カム２０はポリアセタール樹脂等のプラスチックで形成され、外周に歯車２１が形成されており、中心軸部の外周にロックレバー３０の作動部２２と押圧レバー４０の作動部２３および押圧レバー４０の規制部２４が形成されている。ロックレバー３０の作動部２２はロックレバー３０の作動突起３４が摺接する円周線に沿って形成され、カムの面方向の凹凸によってカム面が形成されている。また、押圧レバー４０の作動部２３はロックレバー３０の作動部２２の外周側に沿って形成され、カムの円周方向の凹凸によってカム面が形成されている。押圧レバー４０の規制部２４は、作動部２２の外周の円周壁面によって形成されており、押圧レバー４０のアーム部４５の上部円周面４５ａが対接している。
【００２８】
先ず、ロックレバー３０の作動部２２について詳細に説明する。ロックレバー３０の作動部２２はカムの内周側に面方向に突出するように形成され、カム線図ｅに示すように、基準位置Ｓの０〜約１５度の範囲は基準面２２ａであり、約１５〜８０度の範囲に傾斜面２２ｂが形成され、８０〜１１５度の範囲に上昇面２２ｃが形成され、１１５〜３６０度の範囲は基準面２２ａとなっている。前記したロックレバー３０の作動突起３４が、基準面２２ａから傾斜面２２ｂ、上昇面２２ｃを経て、基準面２２ａを押圧して摺接することで、ロックレバー３０が水平方向に揺動するように構成されている。
【００２９】
つぎに、押圧レバー４０の作動部２３について詳細に説明する。押圧レバーの作動部２３は作動カム２０の外周側に突出するように形成されている。基準位置Ｓから約２０５度に形成された両側にスロープを形成した突起状に形成されている。この突起状の作動部２３が押圧レバー４０のアームの中間部の追従面４２を押圧して押圧レバー４０を垂直方向に揺動させ、蓋体２を押出して開蓋させる構成となっている。
【００３０】
押圧レバー４０の規制部２４は、基準位置Ｓの０度位置から約６０度位置までは中心方向に段差となった非規制面２４ａとなっており、約６０度位置から約２３０度位置までは円周壁面によって形成された規制面２４ｂとなっている。そして、約２３０〜３６０度までは段差の非規制面２４ａとなっている。この規制面２４ｂに押圧レバー４０のアーム部４５の上部円周面４５ａが対接することによって、押圧レバー４０の揺動ができないように規制されている。したがって、押圧レバー４０はアーム部４５が非規制面２４ａと対向するときに揺動できる構成となっている。
【００３１】
また、押圧レバー４０の規制部２４は、モータ１５への通電状態を保持するスイッチ１６ｃを作動させる機能を有している。すなわち、スイッチ１６ｃの突起は規制面２４ｂと対向しているときには押込まれており、非規制面２４ａと対向しているときには突出するように配置されている。そして、スイッチの突起が押込まれている状態ではモータ１５への通電は停止され、突起が突出している状態でモータ１５へ通電されるように構成されている。このため、非規制面２４ａと規制面２４ｂとの範囲を設定することでモータ１５への通電を保持できる構成となっている。
【００３２】
前記の如く構成された本実施形態の蓋体のロックおよび開蓋機構の動作について、図１０〜１３を参照して説明する。先ず、通常は筐体１に対して蓋体２が閉じた状態となっている。この状態では、ロックレバー３０の突部３１ａは蓋体２の凹部２ａ内に嵌合しており、蓋体２を閉状態に保持している。この状態が図１０ａ、ｂおよび図１３ａの状態であり、この状態から蓋体２を開く開蓋動作を行うときには、例えば図示していないワイヤレスリモコンで操作する場合と、筐体１の受部１ｂの操作スイッチ１Ｂを押す場合とがある。
【００３３】
これらの操作が行われると、モータ１５が図１０において、時計方向に回転する。モータ１５の回転は小プーリからゴムベルト１８を介してプーリ歯車１７の大プーリ部に減速して伝達され、大プーリ部と一体の中間歯車を回転させる。モータ１５の回転を減速する減速機構にゴムベルト１８とプーリ歯車１７の機構を用いており、モータ１５の振動が作動カムに伝達されるのを防止して、低騒音を達成している。プーリ歯車１７の中間歯車の回転は作動カム２０の外周の歯車２１に減速して伝達され、作動カム２０は反時計方向に低速回転を行う。
【００３４】
図１０ａの状態から作動カム２０が約９０度反時計方向に回転し、図１０ｃの状態となると、スイッチ１６ｃの突部が規制面２４ｂから離れて非規制面２４ａ側に突出し、モータ１５への通電状態を保持しモータが連続して回転する。作動カム２０がさらに回転して図１０ａのスタート点から１９０〜２００度程度回転した図１１ａの状態となると、ロックレバー３０の作動突起３４が作動カム２０の作動部２２の傾斜面２２ｂに到達し、作動カム２０の回転に伴って作動突起３４を徐々に押し上げる。スタート点から２２０度程度回転すると作動突起３４は最上部の上昇面２２ｃに達してロック状態が解除される。つまり、この状態でロックレバー３０は最大揺動し蓋体２の凹部２ａから突部３１ａが脱出して蓋体２を開放する。なお、スタート点から上昇面間での角度は、適宜変更することができる。
【００３５】
このように、作動カム２０の回転に伴ってロックレバー３０が解除された後、押圧レバー４０が機能するようになっており、ロックレバー３０が揺動して蓋体２を解除した後に蓋体２を押圧するように構成されているため、誤動作が生じない。すなわち、図１１ａ、ｂの状態から作動カム２０がさらに回転し、図１１ｃ、ｄの状態となると、作動部２３は押圧レバー４０の追従面４２を押圧し、作動カム２０の回転に伴って押圧レバー４０は時計方向に揺動して蓋体２を押出す。
【００３６】
押圧レバー４０の追従面４２は作動カム２０の基準点Ｓから２００度程度の位置に達すると、作動部２３により押上げられて揺動を開始する。そして、押圧レバー４０の押圧部４３がロック解除された蓋体２を押すことにより蓋体２は下端を支点として自重で揺動し蓋体２が開けられる。蓋体２は揺動規制カム１４の突起１４ａが取付板１１の規制溝１１ａに嵌合しているため、約９０度の揺動角で揺動して開蓋状態となる。蓋体２は押圧レバー４０により一度押圧されると、あとは自重により旋回するため、蓋体を揺動させる機構が不要となり、機構の簡略化を図ることができる。
【００３７】
蓋体２が約９０度揺動して水平状態となると、筐体１の前面が開放され、ＤＶＤ装置の挿入口６にＤＶＤディスクを挿入することができる。また、ＢＤ装置の挿入口７にもＢＤディスクを挿入することができると共に、カード挿入口８にカードを挿入できる状態となる。さらに、蓋体２は開いた状態で、各種の操作スイッチ４Ａ，４Ｂ，４Ｃを操作することができる。そして、蓋体２が開いている状態は配線基板１６上のスイッチ１６ｄが揺動規制カム１４に押込まれることにより確認できる。
【００３８】
モータ１５が回転を続け、作動カム２０が約２５０〜２６０度回転して図１２ａの状態となると、ロックレバー３０の作動突起３４が作動部２２の基準面２２ａに落下して、ロックレバー３０は押圧レバー４０の押圧部４３に係合面３６が対接し、ロックレバーが僅かに戻った状態で保持される。この状態は図１３ｄに示すように、ロックレバー３０が時計方向に付勢され、押圧レバー４０はコイルばね４４により右方に付勢されているため押圧部４３と係合面３６が接触した状態が保持される。なお、図１３ａは蓋体のロック状態、図１３ｂはロック解除状態、図１３ｃは蓋体の押圧状態、図１３ｄはロックレバーの保持状態を示している。
【００３９】
モータ１５がさらに回転してスタート点から２８０度程度回転すると図１２ｂの状態となり、スイッチ１６ｃが作動カムの規制面２４ｂに接触してモータ１５への通電が停止される。モータ１５はこのあと図１２ｃの状態まで約８０度程度、惰性で回って停止し、スタート点と同じ作動カム２０の状態となる。ここまでの動作で、作動カム２０が３６０度回転して蓋体２のロック解除と、開蓋動作が終了する。
【００４０】
このあと、蓋体２を閉じる時は、図示していないが蓋体２を上方に持ち上げ垂直状態まで揺動させると、蓋体２が突出している押圧レバー４０の押圧部４３を押込んで、押圧部４３とロックレバー３０の係合面３６との係合が解除され、ロックレバー３０の突部３１ａがコイルばね３３の付勢により蓋体２の凹部２ａに進入して蓋体２をロック状態とする。このロック状態が図１０ａの状態であり、作動カム２０が３６０度回転して１周期の動作が完了する。
【００４１】
このように、本発明の蓋体のロックおよび開蓋機構は、ロックレバー３０の突部３１ａで垂直状態に閉じられた蓋体２を、モータ１５により駆動される作動カム２０により、先ず蓋体２のロック状態を解除して開状態とし、次いで押圧レバー４０の押圧部４３で蓋体２を押圧することで押出し、蓋体２を自重で揺動させて開くため、構成を簡略化することができる。蓋体２の重心は支持軸１３より前方側に位置しているため、蓋体２は押圧レバー４０で押出されることで円滑に開蓋する。また、１つのモータ１５を用いたカム機構によりロックレバー３０を開状態とし、次いで押圧レバー４０で蓋体２を押出すので、動作が安定して故障等の発生する虞が少ない。また、蓋体２を閉じるときは蓋体を持ち上げることで容易に閉蓋状態とすることができ、蓋体２の押込みでロックレバー３０の突部３１ａが凹部２ａに進入してロックすることができる。
【００４２】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、蓋体として表示部や操作スイッチ部を備える厚さの大きい蓋の例を示したが、筐体の前面部に表示部や操作部を有しており、筐体の前面を覆うパネル状の蓋を備える電気機器等にも適用できる。
【００４３】
また、取付板を１枚構成とする代わりに、２枚の平行な取付板で構成し、間隔を有して２枚の取付板を止めねじ等により連結固定し、２本の取付板間に伝達機構やレバー類、配線基板等を支持するように構成してもよい。
【産業上の利用可能性】
【００４４】
本発明の活用例として、蓋体のロックおよび開蓋機構を用いることによって記録再生装置に限らず、他の電気機器の筐体に揺動可能に支持された薄いパネル等の蓋体をロックすると共に開蓋する用途や、他の機器の筐体に揺動可能に支持されたパネル等の用途にも適用できる。
【図面の簡単な説明】
【００４５】
【図１】本発明に係る蓋体のロックおよび開蓋機構を用いた記録再生装置の一実施形態の斜視図。
【図２】図１の記録再生装置の蓋体を開いた状態の斜視図。
【図３】蓋体のロックおよび開蓋機構の要部を示す正面図。
【図４】図３の右側面図。
【図５】図４の平面図。
【図６】図４の背面図。
【図７】蓋体のロックおよび開蓋機構の要部を示す斜視図。
【図８】（ａ）はロックレバーおよび押圧レバーを分解した状態の斜視図、（ｂ）は組み込んだ状態のＡ−Ａ線に沿う断面図。
【図９】ロックレバーおよび押圧レバーを作動させる作動カムを示し、（ａ）は正面図、（ｂ）は（ａ）のＢ−Ｂ矢視図、（ｃ）は（ａ）の平面図、（ｄ）は斜視図、（ｅ）はカム線図。
【図１０】動作状態を示す説明図であり、（ａ）は蓋体のロック状態の側面図、（ｂ）はその平面図、（ｃ）は開蓋開始状態の側面図。
【図１１】図１０に続く動作状態を示す説明図であり、（ａ）はロック解除開始状態の側面図、（ｂ）はその平面図、（ｃ）は押圧開始状態の側面図、（ｄ）はその平面図。
【図１２】図１１に続く動作状態を示す説明図であり、（ａ）は側面図、（ｂ）は（ａ）に続く側面図、（ｃ）は（ｂ）に続く側面図。
【図１３】ロックレバーおよび押圧レバーの動作状態を示す説明図であり、（ａ）は蓋体のロック状態、（ｂ）は解除状態、（ｃ）は蓋体の押圧状態、（ｄ）はロックレバーの保持状態のそれぞれを示す断面図。
【符号の説明】
【００４６】
１：筐体、２：蓋体、２ａ：蓋体の凹部、１０：蓋体のロックおよび開蓋機構、１１：取付板、１１Ａ，１１Ｂ，１１Ｃ：支持軸、１５：モータ、１８：ゴムベルト、２０：作動カム、２２：ロックレバーの作動部、２３：押圧レバーの作動部、２４：押圧レバーの規制部、３０：ロックレバー、３１ａ：突部、３３：コイルばね、３４：作動突起、４０：押圧レバー、４２：追従面、４３：押圧部、４４：コイルばね、４５：アーム部、Ｄ：記録再生装置
【図１】
2006147081.tif 000003
【図２】
2006147081.tif 000004
【図３】
2006147081.tif 000005
【図４】
2006147081.tif 000006
【図５】
2006147081.tif 000007
【図６】
2006147081.tif 000008
【図７】
2006147081.tif 000009
【図８】
2006147081.tif 000010
【図９】
2006147081.tif 000011
【図１０】
2006147081.tif 000012
【図１１】
2006147081.tif 000013
【図１２】
2006147081.tif 000014
【図１３】
2006147081.tif 000015